(57)【要約】      （修正有）【課題】肩部材を確実に固定し、長期使用に際しても、吐出不良を起こさず、隙間を無くしスッキリとした外観を呈することができる液体容器を提供する。【解決手段】上部外壁２ｂ３は、口元１３より離れた外周側に環状係止片７が設けられ、この環状係止片７の外側で口元を横切る直線上に２個のアングル８、８が設けられる。肩部材３の受部３ａには、受部３ａの開口１４を形成する周壁が垂下した環状垂下筒部と、この環状垂下筒部の外周側に環状係合片が設けられ、この環状係合片よりも外側で容器本体２の２個のアングル８、８位置に相当する位置にそれぞれ受部３ａを上下に貫通する貫通孔１８、１８が設けられる。容器本体２の環状係止片７に肩部材３の環状係合片を無理嵌めした後、肩部材３の受部３ａ上方よりビス１９、１９にて貫通孔１８，１８を介して容器本体２のアングル８、８に螺着し、容器本体２に肩部材３を固定する構成としている。【選択図】図３
0003186803.tif 000002
【実用新案登録請求の範囲】
【請求項１】
金属製の内壁（２ａ）、外壁（２ｂ）とを有する真空二重の容器本体（２）を設け、外装体を設けずして容器本体の胴部を外装とし、中央に容器本体の口元（１３）と連通する開口（１４）を有したすりばち状の受部（３ａ）と、受部前方の嘴部（３ｂ）と、受部の外周端より垂下した外周壁部（３ｃ）とを備えた肩部材（３）を設け、容器本体（２）内の液量を表示し、かつ容器本体内の液体を外部へ吐出する吐出機構（６）を設け、ベローズポンプ（２６）内蔵の蓋体（４）を設けた空気圧利用式の液体容器（１）に於いて、
上記容器本体（２）の外壁（２ｂ）は、外装となる胴部外壁（２ｂ１）と、胴部外壁の上端でほぼ平坦な上部外壁（２ｂ３）と、胴部外壁の下端で底板となる底部外壁（２ｂ２）とからなり、上部外壁（２ｂ３）には、口元（１３）より離れた外周側に環状係止片（７）が設けられ、この環状係止片（７）の外側で口元を横切る直線上に２個のアングル（８）、（８）が設けられると共に、
肩部材（３）の受部（３ａ）には、受部の開口（１４）を形成する周壁が垂下した環状垂下筒部（１５）と、この環状垂下筒部の外周側に環状係合片（１７）が設けられ、この環状係合片（１７）よりも外側で容器本体の２個のアングル（８）、（８）位置に相当する位置にそれぞれ受部（３ａ）を上下に貫通する貫通孔（１８）、（１８）が設けられ、
容器本体（２）の環状係止片（７）に肩部材の環状係合片（１７）を無理嵌めした後、肩部材の受部（３ａ）上方よりビス（１９）、（１９）にて貫通孔を介して容器本体のアングル（８）、（８）に螺着し、容器本体に肩部材を固定することを特徴とした液体容器。
【考案の詳細な説明】
【技術分野】
【０００１】
本考案は、金属製内壁、外壁とを有する真空二重の容器本体の外壁を外装とし、かつ空気圧を利用して容器本体内の液体を外部へ吐出する空気圧利用式の液体容器に関するものである。
【背景技術】
【０００２】
従来、空気圧利用式の液体容器としては、金属製内壁、外壁を有する真空二重容器を設け、この真空二重容器の外壁上部に合成樹脂製の肩部材を装着し、肩部材の上端にベローズポンプ内蔵の蓋体を開閉自在に装着し、真空二重容器内の液体を外部へ吐出する吐出機構を設けた構造の液体容器が特開２００８−４３３８７号公報（特許文献１、図２及び図３参照）として存在する。
【先行技術文献】
【特許文献】
【０００３】
【特許文献１】特開２００８−４３３８７号公報（特許文献１、図２及び図３参照）
【０００４】
以下、特許文献１の図２及び図３により従来の液体容器について説明する。
この特許文献１の液体容器は、真空二重容器の上端部の口元周りに適宜の間隔を隔てて３個以上の複数のアングルを設けると共に中央開口の内壁にネジを刻設したねじ輪を設け、このねじ輪をアングルにビス止めした後、肩部材をこのねじ輪に螺着して固定するという構造である。
【考案の概要】
【考案が解決しようとする課題】
【０００５】
ところが、このような構成によれば、ねじ輪のアングルでの締め付けが均一に成りにくく、緩かったり、又肩部材の螺着が緩かったりした場合や液体容器に何らかの衝撃が加えられると長期使用に際して、真空二重容器と蓋体との密着が悪くなって十分な吐出ができなくなると共に、真空二重容器と肩部材との間に大きな隙間が生じて、見栄えの悪いものとなる問題点があった。
【０００６】
又、直接ビスにて肩部材をアングル螺着する構造の液体容器も存在するが、上述同様に口元周りの複数のビスを均一に締め付けなければならないために、締め付け調整が非常に難しく、真空二重容器と肩部材との隙間が生じやすく、しかも衝撃による隙間の開き具合によっては、長期使用に際して、十分な吐出ができないという問題点があった。
【課題を解決するための手段】
【０００７】
金属製の内壁２ａ、外壁２ｂとを有する真空二重の容器本体２を設け、外装体を設けずして容器本体の胴部を外装とし、中央に容器本体の口元１３と連通する開口１４を有したすりばち状の受部３ａと、受部前方の嘴部３ｂと、受部の外周端より垂下した外周壁部３ｃとを備えた肩部材３を設け、容器本体２内の液量を表示し、かつ容器本体内の液体を外部へ吐出する吐出機構６を設け、ベローズポンプ２６内蔵の蓋体４を設けた空気圧利用式の液体容器１に於いて、
上記容器本体２の外壁２ｂは、外装となる胴部外壁２ｂ１と、胴部外壁の上端でほぼ平坦な上部外壁２ｂ３と、胴部外壁の下端で底板となる底部外壁２ｂ２とからなり、上部外壁２ｂ３には、口元１３より離れた外周側に環状係止片７が設けられ、この環状係止片７の外側で口元を横切る直線上に２個のアングル８、８が設けられると共に、肩部材３の受部３ａには、受部の開口１４を形成する周壁が垂下した環状垂下筒部１５と、この環状垂下筒部の外周側に環状係合片１７が設けられ、この環状係合片１７よりも外側で容器本体の２個のアングル８、８位置に相当する位置にそれぞれ受部３ａを上下に貫通する貫通孔１８、１８が設けられ、容器本体２の環状係止片７に肩部材の環状係合片１７を無理嵌めした後、肩部材の受部３ａ上方よりビス１９、１９にて貫通孔を介して容器本体のアングル８、８に螺着し、容器本体に肩部材を固定する構成としている。
【考案の効果】
【０００８】
本考案は、従来の問題点を解決したものであって、容器本体の外壁上端に肩部材を確実に固定し、長期使用に際しても、吐出不良を起こすこともなく、しかも隙間を無くしてスツキリとした外観を呈することができ、、又組み立て作業も極めてスムーズでコストの低廉をはかることができる液体容器を提供するにある。
【図面の簡単な説明】
【０００９】
【図１】本考案実施例の斜視図。
【図２】本考案実施例の中央縦断面図。
【図３】本考案実施例の容器本体と肩部材とを示す分解斜視図。
【図４】本考案実施例の分解斜視図。
【図５】本考案実施例の肩部材の内側を示す斜視図。
【考案を実施するための形態】
【００１０】
空気圧利用式の液体容器１は、金属製内壁２ａ、外壁２ｂ、間を真空引きした真空二重の容器本体２と、この容器本体の上端に装着する肩部材３と、肩部材３の上端に開閉自在に装着する蓋体４と、容器本体２の底部を覆う台座５と、容器本体内の液量を表示し、かつ容器本体の液体を外部へ吐出する液量表示を兼ねた吐出機構６とから構成されている
【００１１】
この容器本体２は、ステンレス等の金属材料により図２に示すように、口元を細くした瓶状の内壁２ａと、内壁より間隔を隔てて囲んだ外壁２ｂとを設け、内壁２ａ、外壁２ｂ、間を真空引きしている。
この外壁２ｂは、内壁の胴部を囲む胴部外壁２ｂ１と、内壁の底部を囲む底部外壁２ｂ２と、内壁の上部を囲む上部外壁２ｂ３とを設け、それぞれ端部を接合し溶着している。
【００１２】
外壁２ｂの上部外壁２ｂ３には、図３及び図４に示すように、口元１３より離れた外周側に後述の肩部材３を無理嵌めする環状係止片７が設けられ、この環状係止片の外側に口元１３を横切る直線上にアングル８，８がそれぞれ設けられている。
この環状係止片７には、口元より離れた外側周りの上部外壁面より一旦上方に向けて延び、その先端が口元向きの内側で斜め下方に延ばされている。
容器本体２には、内壁２ａの下端中央を貫通し、外壁２ｂの下部外壁中央をも貫通して外部下方に延びた連通パイプ９が一体的に形成されている。
【００１３】
肩部材４には、図２乃至図４に示すように、中央に容器本体２の口元１３と連通する開口１４を有したすりばち状の受部３ａと、受部の前方で下部内側を空洞とした嘴部３ｂと、受部の外周端より垂下された外周壁部３ｃとが合成樹脂材料にて一体的に形成されている。１０は、合成樹脂材料にて形成され、嘴部３ｂの下端を覆う嘴部カバーである。
この外周壁部３ｃの後方には、後述の蓋体４を着脱自在に装着するヒンジ部１１を備えている。１２はハンドルである。
【００１４】
肩部材４の受部３ａには、図５に示すように、開口１４を形成する周壁が下方に垂下されて環状垂下筒部１５として有しており、この環状垂下筒部１５より離れた外側周りに環状係合部１６が設けられている。
この環状係合部１６には、その外周壁に前述の容器本体２の環状係止片７に無理嵌めして嵌合する環状係合片１７が一体成形されている。
【００１５】
更に、この受部３ａには、容器本体２の各アングル８，８に相当する位置にそれぞれ受部を上下に貫通された貫通孔１８、１８が設けられている。
この受部３ａには、図３乃至図４に示すように、各貫通孔１８、１８に受部上方より螺込まれて容器本体２の各アングル８，８に螺着するビス１９，１９がそれぞれ配設されている。２０，２０は、ビスの存在を隠すための目隠し片である。
【００１６】
このように一旦容器本体２と肩部材４とが、無理嵌めによる嵌合がなされた後に、２箇所のビス止めがなされているために、長期使用時に万一ビスが緩んだとしても、嵌合状態が維持されているので、容器本体と肩部材とが離れて生じる吐出不良等を起こすこともなく、又、大きく隙間を広げて外観の見栄えを悪くすることもない。２１は、受部３ａの環状垂下筒部１５の外側下面に配置され、容器本体の口元上面に当接して、この受部と容器本体の口元との間を閉鎖するシールパッキンである。
【００１７】
嘴部３ｂには、図５に示すように、下側に向けて左右対称で後述の固定用ねじ２２，２２をそれぞれ螺着する固定用螺着部２３，２３が設けられている。
この嘴部３ｂは、下側に向けて内部空洞とそれており、この空洞内には、後述の吐出機構６の吐出部材３５と吐出部材に連なる吐出パイプ３６が収められている。１０は、嘴部カバーで、吐出部材と吐出パイプとを収めた嘴部３ｂの内部空洞の下側周壁のほぼ全体を覆うようにしている。
【００１８】
この嘴部カバー１０には、吐出パイプ３６の下端を下方に貫通させる吐出パイプ用孔２４を穿設されており、更に、この吐出パイプ用孔２４の左右両側には、固定用ねじ２２，２２をそれぞれ通す透孔２５，２５が配設されている。この固定用ねじ２２の螺着により、嘴部カバー１０と止水部材３５、止水部材３５と嘴部３ｂ並びに嘴部３ｂと嘴部カバー１０とがそれぞれ固定されることとなる。
【００１９】
蓋体４は、図２に示すように、肩部材３のヒンジ部１１に枢支され、ベローズポンプ２６と、ベローズポンプを押し上げているスプリング２７と、ベローズポンプの上端開口を開閉するプッシュ板２８と、このプッシュ板を押圧し、ベローズポンプ内の空気を容器本体２内へ圧送する押板２９と、押板を操作するレバー３０と、レバーを規制する規制板３１とを内蔵し、蓋体の下面を下蓋３２にて覆い、下蓋３２の下壁に容器本体２の口元内に挿入する閉鎖部材３３を設けている。
【００２０】
この閉鎖部材３３には、ベローズポンプ２６内より閉鎖部材内を通り、容器本体２内に通じる連通口３４を設けている。
蓋体４の前部で肩部材３の嘴部３ｂ上方には、蓋体４が肩部材にロックされるロック部材が設けられている。この蓋体４、ベローズポンプ２６、プッシュ板２８、押板２９、レバー３０、規制板３１、下蓋３２は、合成樹脂材料にて形成されている。
【００２１】
吐出機構６は、図４に示すように、容器本体２の連通パイプ９と後部連結パイプ３７とを介して連通し、台座５内を前方に向けて延びた水平パイプ３８と、この水平パイプと下部連結パイプ３９とを介して連通し、容器本体外側の前面に垂直に延びかつ容器本体内の液量の表示を兼ねた揚水パイプ４０と、この揚水パイプと上部連結パイプ４１とを介して連通し、内部に止水弁を備えた止水部材３５と、この止水部材の上端上方より斜め下方に垂下した吐出パイプ３６とからなっている。４２は、表示板を兼ねた揚水パイプカバーである。
【００２２】
止水部材３５には、図４乃至図５に示すように、連結された吐出パイプ３６の両側の前方に前述の固定用ねじ２２、２２を上下に挿通するねじ用貫通孔４３，４３を備えた止水部材固定部４４，４４が設けられている。
この左右の止水部材固定部４４の上面がそれぞれ嘴部３ｂの内側壁の左右の固定用螺着部２３，２３の下面に配置されるようにしている。
【００２３】
この吐出機構６では、嘴部カバー１０を螺着する各固定用ねじ２２の締め付けによって、止水部材３５が嘴部３ｂの内側壁に固定されるために、他の吐出機構６の部品を容器本体２に固定する必要もなく、しかも空気圧により液体が吐出機構のパイプ内を上昇すると同時にパイプを押し上げる働きが生じても、止水部材の固定によりパイプを押し上げる働きが規制されて、パイプを浮上させることもなく、安定した吐出を行うことができる。
【００２４】
この止水部材３５は、前述の如く肩部材４の嘴部３ｂの内側に吐出パイプと共に配置され、しかも嘴部カバー１０の固定用ねじ２２にて嘴部と嘴部カバーとにてサンドイッチ状に固定保持されているので、嘴部と止水部材３５及び嘴部と嘴部カバーとをそれぞれ別個に固定する必要がなく、作業性の効率を一層向上させることができる。
【００２５】
台座５は、図２に示すように、容器本体２の胴部外壁２ｂ１の下端外周に設けられた環状突起に無理嵌めされており、下部に回転台４５を配設されている。
【符号の説明】
【００２６】
１…液体容器
２…容器本体
２ａ…内壁
２ｂ…外壁
２ｂ１…胴部外壁
２ｂ２…底部外壁
２ｂ３…上部外壁
３…肩部材
３ａ…受部
３ｂ…嘴部
３ｃ…外周壁部
４…蓋体
５…台座
６…吐出機構
７…環状係止片
８、８…アングル
９…連通パイプ
１０…嘴部カバー
１３…口元
１４…開口
１５…環状垂下筒部
１６…環状係合部
１７…環状係合片
１８、１８…貫通孔
１９、１９…ビス
２２、２２…固定用ねじ
２３、２３…固定用螺着部
２５、２５…透孔
２６…ベローズポンプ
３５…止水部材
３６…吐出部材
４０…揚水パイプ
４２…揚水パイプカバー
４３，４３…ねじ用貫通孔
４４，４４…止水部材固定部
【図１】
0003186803.tif 000003
【図２】
0003186803.tif 000004
【図３】
0003186803.tif 000005
【図４】
0003186803.tif 000006
【図５】
0003186803.tif 000007